(57)【要約】  本発明は、釣り用ルアアセンブリ（１０）に関し、魚にとって餌として現れるように構成されて配置された外部形状を有する本体部（１２）を含み、前記本体部は、コイル状に構成された所定の長さのリーダライン（３４）を有する内部チャンバを含む。当該リーダラインは、前記本体部に取り付けられた第１の端部及びフック部材（２２）のアイレット部分に取り付けられた第２の端部を含み、前記本体部は、前記内部チャンバから前記外部形状を経て広がる開口部を有し、前記開口部は、前記リーダラインが当該開口部を通って自在に伸長するような大きさ及び形状である。前記フックの前記アイレット部分は、抵抗アセンブリ（６００）を伴って前記本体部に取り付けられ、それによって、前記フック部材が所定の力を受けると、前記フック部材（２２）は前記抵抗アセンブリ（６００）からリリースされて前記本体部（１２）から引き離される。
2018504108.tif 000002
【特許請求の範囲】
【請求項１】
釣り用ルアアセンブリであって、
本体部を含み、前記本体部は、魚にとって餌として現れるように構成されて配置された外部形状を有し、前記本体部は、コイル状に構成された所定の長さのリーダラインを有する内部チャンバを含み、前記リーダラインは、前記本体部に取り付けられた第１の端部及びフック部材のアイレット部分に取り付けられた第２の端部を含み、前記本体部は、前記内部チャンバから前記外部形状を経て広がる開口部を有し、前記開口部は、前記リーダラインが当該開口部を通って自在に伸長するような大きさ及び形状に形成され、前記フックの前記アイレット部分は、抵抗アセンブリを伴って前記本体部に取り付けられ、それによって、前記フック部材が所定の力にさらされると、前記フック部材は前記抵抗アセンブリからリリースされて前記本体部から引き離されることを特徴とする釣り用ルアアセンブリ。
【請求項２】
前記抵抗アセンブリは、ばね部材を含むことを特徴とする請求項１に記載の釣り用ルアアセンブリ。
【請求項３】
前記抵抗アセンブリは板バネであることを特徴とする請求項１に記載の釣り用ルアアセンブリ。
【請求項４】
請求項３に記載の釣り用ルアアセンブリであって、前記板バネの一部分は前記フック部材の一部分を囲み、それによって所定の力は、前記フックの前記囲まれた部分が前記板バネの前記部分を十分に移動させ、前記フックの前記囲まれた部分が前記板バネの前記部分を越えて脱出することを可能とし、それによって、前記フックは前記釣り用ルアから離れて自由に伸長できることを特徴とする釣り用ルアアセンブリ。
【請求項５】
請求項３に記載の釣り用ルアアセンブリであって、前記板バネの一部分は前記フック部材の一部分を圧迫し、それによって所定の力は、前記フックの前記部分が前記板バネの前記部分を十分に移動させ、前記フック部材の前記部分が前記板バネの前記部分を越えて脱出することを可能とし、それによって、前記フックは前記釣り用ルアから離れて自由に伸長できることを特徴とする釣り用ルアアセンブリ。
【請求項６】
請求項３に記載の釣り用ルアアセンブリであって、前記板バネの一部分は前記リーダラインの一部分を圧迫し、それによって所定の力は、前記リーダラインが前記板バネの前記部分を十分に移動させ、前記リーダラインが前記板バネの前記部分を越えて脱出することを可能とし、それによって、前記フックは前記釣り用ルアから離れて自由に伸長できることを特徴とする釣り用ルアアセンブリ。
【請求項７】
前記板バネは、前記板バネの遠位端部における隆起を含むことを特徴とする請求項３に記載の釣り用ルアアセンブリ。
【請求項８】
前記板バネの隆起は傾斜面を含み、前記傾斜面は、前記リーダラインの一部分と協働するように方向づけられ、前記所定の力にさらされた場合に、前記板バネの移動をもたらすことを特徴とする請求項６に記載の釣り用ルアアセンブリ。
【請求項９】
前記リーダラインは、前記リーダラインに取り付けられたリング部材を含み、前記リング部材は、前記ばね部材と協働して、前記ばね部材が前記リング部材をリリースすることを可能とするための所定の力を要求し、前記フック及び前記リーダラインの一部分が前記ルアから離れて伸長することを可能とすることを特徴とする請求項２に記載の釣り用ルアアセンブリ。
【請求項１０】
前記リング部材はポリマー材料から構成されていることを特徴とする請求項８に記載の釣り用ルアアセンブリ。
【請求項１１】
前記リング部材はゴムから構成され、前記ゴムは、前記リーダラインに所定の力がかけられた際に、前記ばね部材の一部分を移動させるために十分なデュロメータ硬度を有することを特徴とする請求項９に記載の釣り用ルアアセンブリ。
【請求項１２】
前記リング部材はプラスチック製であることを特徴とする請求項９に記載の釣り用ルアアセンブリ。
【請求項１３】
前記リング部材は壊れやすい材料から構成され、前記壊れやすい材料は、所定の荷重がかけられた際に壊れるように構成されて配置されていることを特徴とする請求項９に記載の釣り用ルアアセンブリ。
【請求項１４】
前記リーダラインはスプールに巻き付けられ、前記スプールは前記釣り用ルアの内部に取り付けられて軸を中心に回転することを特徴とする請求項１に記載の釣り用ルアアセンブリ。
【発明の詳細な説明】
【技術分野】
【０００１】
本願は、釣り具に関し、特に、伸長自在なリーダのためのコンパクトな収納をもたらす内部スプールを有するチャンバ付きの釣り用ルアに関する。フックは、リーダの遠位端部に確実に取り付けられ、かつ、フック及びリーダの制御されたリリースが可能であるリリース自在な態様でルアに取り付けられている。
【背景技術】
【０００２】
リリース自在なフックを有する釣り用ルアの広い概念は当該技術分野において周知である。例えば、米国特許第5,090,151号には、食い付き（すなわち、ストライク）が起こるとフックと本体とが分離する釣り用ルアが記載されている。当該釣り用ルアは、ルア本体、フック及びワイヤ部材を含む。当該本体は、当該本体内を貫通するスロットと、当該スロットに沿って設けられている肩部とを有している。当該フックは、突出部を備えた細長い軸部分を含んでおり、当該軸部分は通常は当該ルア本体の肩部に係合し、これによって当該フックは当該ルア本体との係合状態を維持している。前記ワイヤ部材は、当該ルア本体を貫通して伸び、一端はフック用の小穴部に取り付けられ、他端は釣り用リールに取り付けられる。当該フックは、当該ルア本体の外側に伸びる曲げ形成された湾曲部分と共に前記スロット内に収容される。ルア本体の肩部は、フックの軸部分及び突出部にリリース自在に係合されており、食い付きの際には、当該本体とフックが分離して当該ルア本体はワイヤ部材を滑り上がる。
【０００３】
米国特許第5,806,233号には、魚の食い付きの際にルア本体とフックとの間の相対的な空動きを発生させる釣り用ルアが記載されている。当該釣り用ルアは、ルア本体、リム部、弾性バンド、釣り糸（以下、ラインと称する）及びフックからなる。当該ルア本体は、前端部と後端部とを有する。一端に形成された穴部を有するリム部は、当該ルア本体の後端部に接続されている。当該リム部の穴部は、当該ルア本体の後端部から外方に伸びている。前記フックは、小穴（アイレット；eyelet）が形成された軸部分を含む。当該フックは、所定の長さのラインを使用して当該リム部に取り付けられている。当該ラインの一端は当該フックの小穴に締結され、当該ラインの他端は前記リム部の穴部に締結されている。弾性バンドは、当該フック、当該リム及び当該ラインを並列に取り囲み、ルア本体の後端部から離れる方向の後方へリリース自在に保持する。当該フックに魚が食い付いた際は、当該フック及びラインは当該バンドから離脱し、当該フックは魚の進行方向と反対の方向に進む。
【０００４】
米国特許第6,105,303号は、ラインに十分な張力が働くまでフックが露出しない釣り用ルアを開示している。当該ルアは、ルア本体、ライン及びフックを含む。当該本体は、当該本体を貫通する開口部と少なくとも１つのチャネルを有している。前記ラインは開口部を通って伸び、当該フックの軸部分に取り付けられている。当該フックはチャネルに収容され、開口部において当該ラインの進む方向を変えることで、当該チャネル内のラインは開口部において反対方向に進む。このような構成により、当該ラインに十分な張力が働いた際に当該フックは当該本体から離脱する。
【０００５】
先行技術に付随する欠点は、ロッド及びリールからのラインをルアに直接接続しつつ、リーダ及びフックはルアから引き離された際に魚がルアの重さを使用して当該ルアを振り払うことを防ぐことができず、魚を逃す結果となることである。また、先行技術は、リリース自在なフックにおける張力が予め調整されるような、キャリブレート（calibrated）されたフックリリース機構を開示していない。また、先行技術は、当該スプールについてリリース自在なリーダが、ストライク後のルアの外側から再巻取りされ得るスプールを開示していない。
【発明の概要】
【課題を解決するための手段】
【０００６】
本発明は、釣り用デバイスに関し、特に、内部スプールを有し、伸長自在なリーダのためのコンパクトな収納（storage）を提供するチャンバ付き釣り用ルアに関する。当該チャンバ付き釣り用ルアは、前端部、後端部、上部、底部及び内部チャンバを有するメインボディを含む。当該メインボディの当該内部チャンバの中には、伸長したリーダアセンブリの収納をもたらすようにスプールが構成されて配置されている。フックは、リーダアセンブリの遠位端部に取り付けられ、非展開状態においてルアの後端部にリリース自在に係合されている。魚が食い付いて結合すると、当該フックはルアからリリースされ、当該リーダの遠位端部が伸長し、そして当該フックは、制御された態様で当該釣り用ルアのメインボディから所定の距離をとる。スプールアセンブリは、ユーザが、フックに接続されたリーダラインを当該デバイスの内部チャンバに巻き戻すことを可能にするように構成されて配置され、フックは次の食い付きに備えてルア本体内で初期の状態に戻される。当該スプールアセンブリは通常、内部のキャビティ内の、当該スプールの遠位端部に配置されたベアリング上に配置された小さいスプールである。スプールの一部は、当該ルアの外側に伸び得、手又は道具によるリールの回転操作を可能にし得る。或いは、鍵、ツール等のものが、アパーチャを通って挿入され得、スプールにおける鍵穴に係合されてリーダラインが当該ルアにリコイル(recoiled)され得る。他の実施形態において、リールは内部のリコイルスプリング（recoiling spring）を伴って設けられ得、当該リールから外方に引っ張られた後に、リーダをスプールに自動的にリコイルし得る。また、ドラグ（drag）又はクラッチ（clutch）は、スプールとルアとの間に含まれ得、所定の抵抗をかけてリーダをスプールから外方へ引っ張り得る。ドラグの機構は、操作者がリーダがスプールからリリースされる際の特徴を変更することができるように調節され得る。抵抗アセンブリはスプールとフックとの間に含まれ得、リーダをスプールから外方に引っ張る際に、所定の抵抗をかけ得る。
【０００７】
従って、本発明の目的は、リリース自在なフックを有するチャンバ付き釣り用ルアを提供することである。
【０００８】
さらに、本発明の目的は、リリース自在なフックを有し、当該フックの一部は内部チャンバの中に収容されるチャンバ付き釣り用ルアを提供することである。
【０００９】
本発明の他の目的は、リリース自在なフックを有し、より自然な外観を維持するチャンバ付き釣り用ルアを提供することである。
【００１０】
さらに、本発明の目的は、低い視認性を維持するリリース自在なフックを有するチャンバ付き釣り用ルアを提供することである。
【００１１】
さらに、本発明の目的は、リリース自在なフックを有し、より軽いリーダ及び／又はメインラインを伴って、より良いルアの動きを維持するチャンバ付き釣り用ルアを提供することである。
【００１２】
本発明の他の目的は、リリース自在なフックを有し、非展開状態と展開状態との間をトラバース（traverse）するチャンバ付き釣り用ルアを提供することである。
【００１３】
さらに、本発明の目的は、一旦リーダがリリースされ展開されると魚がスムーズに掛かり得るチャンバ付き釣り用ルアを提供することである。
【００１４】
本発明の他の目的は、リリース自在なフックを有し、魚が当該魚の口からルアを振り払うことができないモジュラチャンバ付き釣り用ルアを提供することである。
【００１５】
本発明の他の目的は、リリース自在なフックを有し、リーダラインは内部チャンバ内に隠されてかつ再巻取り可能なリーダアセンブリに取り付けられているチャンバ付き釣り用ルアを提供することである。
【００１６】
さらに、本発明の目的は、リリース自在なフックを有し、最小限のツールで簡単に再巻取りされ得、非展開状態となり得るチャンバ付き釣り用ルアを提供することである。
【００１７】
さらに、本発明の目的は、内部のリールアセンブリを有し、リーダラインを収容する釣り用ルアを提供することである。
【００１８】
さらに、本発明の目的は、外部の操作が可能な機構を含みスプールを中心にリーダラインを再巻取りする内部のリールアセンブリを有する釣り用ルアを提供することである。
【００１９】
さらに、本発明の目的は、内部の操作が可能な機構を含みスプールを中心にリーダラインを再巻取りする内部のリールアセンブリを有する釣り用ルアを提供することである。
【００２０】
さらに、本発明の目的は、クラッチアセンブリを含む内部のリールアセンブリを有し、スプールからリーダラインを引き出すことに対して所定の大きさの抵抗をもたらす釣り用ルアを提供することである。
【００２１】
さらに、本発明の目的は、リコイルスプリングアセンブリ（recoil spring assembly）を含む内部のリールアセンブリを有し、スプールからリーダラインを引き出すことに対して所定の大きさの抵抗をもたらす釣り用ルアを提供することである。
【００２２】
さらに、本発明の目的は、リコイルスプリングアセンブリ（recoil spring assembly）を含む内部のリールアセンブリを有し、リーダラインを再巻取りする釣り用ルアを提供することである。
【００２３】
本発明の他の目的は、釣り用ルアの本体からのフックの制御されたリリースをもたらす抵抗アセンブリを有する釣り用ルアを提供することである。
【００２４】
さらに、本発明の目的は、オペレータが、ルアからのフック及びリーダのリリース及び／又はリリース速度を与える張力を制御することを可能にするように構成及び配置された抵抗アセンブリを有する釣り用ルアを提供することである。スプールとリーダとの間に配置された当該抵抗アセンブリは、リング部材と組み合わせて使用され得る板バネ（leaf spring）から構成される。それによって所定の抵抗は、当該リング部材が板バネからリリースされることを可能とし、リーダがスプールからリリースされることを可能とする。
【００２５】
本発明の他の目的及び効果は、添付の図面と共に示す以下の記載から明らかとなるであろう。当該記載は、説明及び例示によって本発明のいつくかの実施例を示したものである。本明細書に含まれる図は本明細書の一部を構成し、本発明の例示的な実施例を含み、本発明の様々な目的及び特徴を示している。
【図面の簡単な説明】
【００２６】
【図１】非展開状態におけるリリース自在なフックを有する本発明の釣り用ルアの１つの実施例の側面図である。
【図２】展開状態におけるリリース自在なフック及びリーダを有する本発明の釣り用ルアの１つの実施例の側面図である。
【図３】本発明の再巻取り可能なリーダアセンブリ用チャンバの長手方向に沿った断面図である。
【図４】リリース自在なフックを有する当該釣り用ルアの再巻取り可能なリーダアセンブリの１つの実施例の長手方向に沿った断面図であり、再巻取り可能なリーダアセンブリ用チャンバの中に設けられていることを示す。
【図５】当該釣り用ルアの再巻取り可能なリーダアセンブリの斜視図である。
【図６Ａ】本発明の再巻取り可能なリーダアセンブリの断面図である。
【図６Ｂ】回転をもたらすための工具を伴う本発明の再巻取り可能なリーダアセンブリの断面図である。
【図７】図２に示されたリリース自在なフックを有する釣り用ルアの上面図である。
【図８】メインフィッシングラインに取り付けられたリリース自在なフックを有する釣り用ルアの立面図である。
【図９】非展開状態におけるリリース自在なフックを有する本発明の釣り用ルアの代替的実施例を示す図である。
【図１０】展開状態におけるリリース自在なフックを有する本発明の釣り用ルアの代替的実施例を示す図である。
【図１１】図１０に示すような本発明の釣り用ルアの長手方向に沿った断面図である。
【図１２】再巻取り可能なリーダルアアセンブリを伴う図９に示すようなリリース自在なフックを有する釣り用ルアを示す図である。
【図１３Ａ】図１０に示すようなリリース自在なフックを有する釣り用ルアの上面図である。
【図１３Ｂ】図１０に示すようなリリース自在なフックを有する釣り用ルアの背面図である。
【図１４】リリース自在なフックを有する本発明の釣り用ルアの底部に設けられた再巻取り可能なリーダルアアセンブリを示す図である。
【図１５】リリース自在なフックを有する本発明の釣り用ルアを潜水スタイルのルアの形態で示す図である。
【図１６】トローリングルアとしてのリリース自在なフックを有する本発明の釣り用ルアを示す図である。
【図１７】スカートを伴うトローリングルアとしてのリリース自在なフックを有する本発明の釣り用ルアを示す図である。
【図１８】リリース自在なフックを有する本発明の釣り用ルアの代替的実施例を示す図であり、非展開状態で再巻取り可能なリーダアセンブリなしに示されている。
【図１９】リリース自在なフックを有する本発明の釣り用ルアの代替的実施例を示す図であり、展開状態で再巻取り可能なリーダアセンブリなしに示されている。
【図２０Ａ】リリース自在なフックを有する本発明の釣り用ルアの代替的実施例をジグ（jig）の形態で示す図であり、非展開状態で再巻取り可能なリーダアセンブリなしに示されている。
【図２０Ｂ】リリース自在なフックを有する本発明の釣り用ルアの代替的実施例をジグの形態で示す図であり、展開状態で再巻取り可能なリーダアセンブリなしに示されている。
【図２１Ａ】シュリンプテイルのアタッチメントを有する図２０Ａ及び図２０Ｂに示すリリース自在なフックを有する釣り用ルアの代替的実施例の長手方向に沿った断面図である。
【図２１Ｂ】図２１Ａに示すリリース自在なフックを有する釣り用ルアの代替的実施例の、非展開状態における側面図である。
【図２１Ｃ】図２１Ａに示すリリース自在なフックを有する釣り用ルアの代替的実施例の、展開状態における側面図である。
【図２２Ａ】リリース自在なフックを有する本発明の釣り用ルアの代替的実施例をヘア・アタッチメントを伴うジグの形態で示す図であり、非展開状態で再巻取り可能なリーダルアアセンブリなしに示されている。
【図２２Ｂ】リリース自在なフックを有する本発明の釣り用ルアの代替的実施例をヘア・アタッチメントを伴うジグの形態で示す図であり、展開状態で再巻取り可能なリーダルアアセンブリなしに示されている。
【図２３】本発明による再巻取り可能なリーダアセンブリの代替的実施例を示す上面斜視図である。
【図２４】図２３に示された再巻取り可能なリーダアセンブリの当該代替的実施例の底面斜視図である。
【図２５】図２３に示された再巻取り可能なリーダアセンブリの当該代替的実施例の側面図である。
【図２６】図２３に示された再巻取り可能なリーダアセンブリの当該代替的実施例の上面図である。
【図２７】図２３に示された再巻取り可能なリーダアセンブリの支持構造の斜視図である。
【図２８Ａ】図２３に示された再巻取り可能なリーダアセンブリのスプールアセンブリの斜視図である。
【図２８Ｂ】図２３に示された再巻取り可能なリーダアセンブリのスプールアセンブリの回転部材なしの斜視図である。
【図２８Ｃ】図２３に示された再巻取り可能なリーダアセンブリのスプールアセンブリの回転部材の斜視図である。
【図２９】図１に示すリリース自在なフックを有するチャンバ付き釣り用ルアの再巻取り可能なリーダアセンブリ用チャンバ内に設けられた、図２３に示す再巻取り可能なリーダアセンブリの断面図である。
【図３０Ａ】本発明の代替的実施例を示す部分断面図を含む側面図である。
【図３０Ｂ】本発明の代替的実施例を示す部分断面図を含む側面図である。
【図３１】本発明の代替的実施例を示す部分断面図を含む側面図である。
【図３２】本発明の代替的実施例の抵抗アセンブリを示す断面図である。
【図３３】本発明の代替的実施例のピンチアーム（pinch arm）を示す断面図である。
【発明を実施するための形態】
【００２７】
[発明の詳細な説明]
本発明は様々な態様で実施することができ、以下においては出願時点での好適な実施形態が図示され、記載されているが、これに限定されない。この実施例は、本発明の例示であると考慮されるべきであり、示された特定の実施例に本発明を限定するものではない。
【００２８】
図１−図３３を概して参照すると、同様の参照番号が複数の図に亘って同様の要素を示しており、リリース自在なリーダ３４及びフック２２を有するチャンバ付き釣り用ルア１０が示されている。図１を参照すると、リリース自在なフック２２を有する本発明のチャンバ付き釣り用ルア１０が示されている。図１を参照すると、リリース自在なフック２２を有する本発明のチャンバ付き釣り用ルア１０の1つの実施例の側面図がスイムベイトスタイルの釣り用ルアとして示されている。チャンバ付き釣り用ルア１０は、前部１４、後部１６、上部１８及び底部２０を有する本体１２を含む。本体１２は釣り用ルアの製造に一般に使用される任意の材料から作られ得るが、プラスチックなどのポリマー材から作られることが好ましい。本体１２は、模様又は色彩を含んでいても良く、小魚、ネズミ、ザリガニ、昆虫、蛙、若しくは魚が捕食する他の動物及び／又は物体に似た形状を有していても良い。チャンバ付き釣り用ルア１０に取り付けられているのはリリース自在なフック２２である。図示されているように、当該フックは、リーダラインがほとんど露出していないか又は全く露出していない「非展開位置」に配置されている。これは釣り人が前記ルアを着水させる際の典型的な開始位置である。
【００２９】
図２を参照すると、リリース自在なフック２２を有するチャンバ付き釣り用ルア１０の展開位置における側面図が示されている。展開位置において、リーダ３４は伸長されており、フック２２は本体１２から所定の距離だけ離れた位置にある。当該展開位置は、魚が実際にルアに食い付いてルアに接触する魚の食付き（フィッシュストライク；fish strike）によって生じる。この状況において、魚は食べたくないものに食い付いたことに気付き得る。そして、当該魚は当該ルアを放すが、フックは魚の口の中に留まる。当該フックは、小穴部分（以下アイレットという）２４、軸部分（以下シャンクという）２６、湾曲部分２８及びかえし（berb）３２付き又はかえし３２無しの尖端３０を有する標準的な釣り針であることが好ましい。フック２２は、保護皮膜で被覆されていても良く、当該保護被膜は、錆び、腐食又は他の風化作用等の環境による悪影響からの保護をもたらすことによって当該フックの耐久年数を延長する。リーダライン３４は、フック２２をチャンバ付き釣り用ルア１０の本体１２に結合させる。当該リーダラインは、フロロカーボン製リーダラインやモノフィラメント製リーダラインに限定されず、編み組まれた金属若しくはポリマー材又はこれらの適切な組合せによるリーダラインであっても良い。
【００３０】
図３及び図４を参照すると、長手方向に沿った断面図によって、チャンバ付き釣り用ルアの内部の要素が示されている。本体１２の内部には、再巻取り可能なリーダアセンブリ用チャンバ３６が設けられている。再巻取り可能なリーダアセンブリ用チャンバ３６は、中間部４２によって接続された第１の端部３８及び第２の端部４０を含み得る。
第２のチャンバ４４は、潜水翼部（以下、ブレード（blade）と称する）又はスプーン(spoon)（図示せず）等の重量物（重り）４６を保持するように構成されて配置されている。あるいは、重量物４６は、本体内の任意の適切な位置に形成されていても良く、ルアが水中で動く際に異なる動きを引き起こす。再巻取り可能なリーダルアアセンブリ用チャンバ３６内には、再巻取り可能なリーダアセンブリが設けられ、本明細書においてはスプールアセンブリ４８として示されている。通常、当該スプールアセンブリは所定の長さのリーダラインをコイル状又は制御可能でリリース自在な構造で収容するように構成され配置されている。当該スプールアセンブリは、リーダラインが当該ルアの空洞部内で、再度巻きつけられるか又は他の方法で再配置されて、繰り返し展開されることを可能にする。
【００３１】
図５を参照すると、スプールアセンブリ４８の例を示す斜視図が示されている。スプールアセンブリ４８は第１の端部５０及び第２の端部５２を有している。スプールアセンブリ４８は２つの支持アーム５４及び５６を含む。支持アーム５４の第１の端部５８は、支持アーム５６の第１の端部６０に接続されている。支持アーム５４の第２の端部６２は、支持アーム５６の第２の端部６４に接続されている。支持アーム５４の第１の端部５８と支持アーム５６の第１の端部６０とが相互に接続されている箇所から、アーム６６が伸びている。アーム６６の末端にはアイレット６８が設けられている。支持アーム５４の第２の端部６２と支持アーム５６の第２の端部６４とが相互に接続されている箇所から、アーム７０が伸びている。アーム７０の末端には開口部７２が設けられている。開口部７２は、フックがアーム７０の空洞部内に挿入された際に、当該内部に緩く嵌まるような大きさ及び形状で形成されている。これにより、回転運動を防ぐことが可能であり、かつ、容易な又は制御されたリリースが可能である。支持アーム５４は上面７３及び底面７４を含む。支持アーム５６は上面７６及び底面７８を含む。
【００３２】
支持アーム５４にはスプール８１が係合されており、当該スプール８１は通常、第１の円形部材８０、第２の円形部材８２及びドラム８４を含む。第１の円形部材８０及び第２の円形部材８２にはピボットアセンブリ（pivot assembly）が接続されており、本明細書において、それぞれスピンドル８６及び８８として示されている(図４参照)。スピンドル８６及び８８（図６Ａ）は、支持アーム５４及び５６に接続され得る。当該接続は、ドラム８４に長手方向の軸８９（図６Ａ参照）を中心とした回転運動をもたらすような態様でなされ得る。ピボットアセンブリは付属品として示され、当該ピボットアセンブリは軸を中心とした回転スピンをもたらす他の要素を含むことができる。例えば、ピボットアセンブリは心棒のような細長い部材であっても良く、第１及び第２の円形部材の開口部の内側の位置にベアリングやブッシングと共に固定されても良い。あるいは、第１及び第２の円形部材は当該心棒に固定されても良く、ベアリングやブッシングと共に、当該心棒が支持されている接続箇所に固定されていても良い。ピボットアセンブリは、ギア、ラチェット及びパウルシステム（pawl system）又は同様のものを使用するような、回転運動を発生させる付加的な機械的手段を含んでいても良い。
【００３３】
図５、図６Ａ及び図６Ｂを参照すると、スピンドル８６の上面９０及び／又はスピンドル８８の上面９２は、展開後にリーダルアを格納することができるように構成及び配置されている。例えば、スピンドル８６の上面９０は、窪んだ空洞部９３を露出する開口部９１を含み得る。当該窪んだ空洞部はツール９４を収容するように構成及び配置されている。ツール９４の端部９６は、窪んだ空洞部９３と共役的な形状であるか、又はツール９４の端部９６は、当該ツールの挿入部が窪んだ空洞部９３にしっかり固定されるように、窪んだ空洞部９３の補完的かつ幾何学的形状、すなわち、フィリップススクリューヘッドによる十字形状、多角形形状若しくは他の適切な形状を有する。ドラム８４を回転させるために、ユーザは当該ツールを挿入して、単にツール９４のハンドル９８を時計回りに回転させることで当該ドラムを時計回りに回転させ、又は当該ハンドルを反時計回りに回転させることでドラムを反時計回りに回転させる。あるいは、上面９０は単にスロット領域１００を含んでいても良く、当該スロット領域は一般のマイナスドライバ又は米国硬貨の形状に一致しても良い（図６Ａ参照）。
【００３４】
図４を参照すると、ドラム８４にはリーダライン３４巻き付けられている。リーダライン３４の第１の端部３３は、当業者に公知の様々な手段を用いてドラム８４に固着されており、当該手段はノット、スロット、フック、ファスナ、ステープル又はこれらの適切な組み合わせを含む。図４に示すように、リーダライン３４の第２の端部３５、すなわち、当該ドラムに取り付けられていない端部は、開口部１０２を通って挿入され、例えば、インプルーブドクリンチノット、パロマノット、スネルノット、圧着スリーブなどを用いて、フック２２のアイレット２４に取り付けられている。非展開位置において、フック２２のアイレット２４及びシャンク２６は、アーム７０の内部空洞部１０４に収容されている。湾曲部分２８及びフック２２のかえし３２付き尖端３０は、開口部７２を介して外部環境に露出している。
【００３５】
チャンバ付き釣り用ルア１０が着水する前に、ライン又はワイヤ１０６（図８参照）は、釣竿、ダウンリガ、アウトリガなど（図示せず）に接続され、例えばユニノット、ラパラノット又はトリレーンノット等の技術分野において公知の任意の適切な手段を用いてアイレット６８に取り付けられる。一旦着水して魚が食い付くと、チャンバ付き釣り用ルア１０のフック２２は展開される。当該展開によって、リーダライン３４はドラム８４から引き出され（巻きが解け）（unwound）、リーダライン及びフックのチャンバ付き釣り用ルア１０に収容されていた部分が外部環境に露出する。このような引き出し(unwinding)は、チャンバ付き釣り用ルア１０に魚が食い付くか、又は当該フックが他の物体に引っかかることで生じ得る。いずれの場合においても、チャンバ付きリーダルア１０を再び使用するためには、リーダライン３４は非展開位置に戻されなければならない。リーダライン３４を再びドラム８４に巻き付けるために、ユーザは単にツール９４（図６Ｂ参照）をスピンドル８６に設けられた窪んだ空洞部９３に挿入し、第１の方向又は時計回りに回すことができる。ユーザがリーダライン３４の全部又は一部をドラム８４から引き出す必要がある場合は、ドラム８４を反時計回りに回転させるためにツール９４が使用され得る。
【００３６】
図９−図１０はチャンバ付き釣り用ルア１０の代替的実施例を示している。図９はチャンバ付き釣り用ルアの実施例の側面図であり、リリース自在なトレブルスタイルのフック２２２を有し、プラグスタイルの釣り用ルア２１０として示されている。当該プラグスタイルの釣り用ルアは、前部２１４、後部２１６、上部２１８及び底部２２０を有する本体２１２を含む。本体２１２はバルサ、ハードウッド又は松などの従来から釣り用プラグに使用されている木材から手彫りされていても良い。しかし、好適な実施形態において、本体２１２は、中空のプラスチック、成型プラスチック又は硬質プラスチックから作られる。本体２１２は、模様又は色彩を含んでいても良く、小魚、ネズミ、ザリガニ、昆虫、蛙、若しくは魚が捕食する別の動物に似た形状を有していても良い。プラグスタイルの釣り用ルア２１０にはトレブルスタイルのフック２２２が取り付けられても良い。図９に示されているように、当該フックは「非展開」位置に配置されており、リーダライン２３４はほとんど露出されていなか又は全く露出されていない。図１０は展開位置におけるトレブルフック２２２を備えたプラグスタイルの釣り用ルア２１０を示している。展開位置において、フック２２２は本体２１２から所定の距離だけ離れて配置されている。当該位置は通常、魚が食い付いてルアに接触し、当該フックに引っかかることに起因する。図示されているように、当該フックは標準的なトレブルフックであり、アイレット２２４、シャンク２２６、複数の湾曲部分２２８及びかえし２３２付きの又はかえし２３２無しの複数数の尖端２３０を有している。しかし、チャンバ付き釣り用ルア２１０に接続されている当該トレブルフックは、当業者に公知である任意のフックであれば良い。フック２２２は、保護皮膜で被覆されていてもよく、当該保護被膜は、錆び、腐食又は他の風化作用などの悪影響を及ぼす環境からの保護をもたらすことで当該フックの耐久年数を延長する。フック２２２はチャンバ付き釣り用ルア２１０の本体２１２にリーダライン２３４によって結合される。
【００３７】
図１１及び図１２を参照すると、プラグスタイルのチャンバ付釣り用ルア２１０の内部の要素を示す長手方向に沿った断面図が示されている。本体２１２の内部には、再巻取り可能なリーダアセンブリ用チャンバ２３６が設けられており、再巻取り可能なリーダアセンブリを保持するように構成及び配置され、本明細書には上記したスプールアセンブリとして示されている。再巻取り可能なリーダアセンブリ用チャンバ２３６は、中間部２４２によって接続された第１の端部２３８及び第２の端部２４０を含み得る。第２のチャンバ２４４は、ブレード又はスプーンなどの重量物２４６を保持するように設けられていても良く、ルアが水中を動き回る際に当該ルアに、様々な飛び込み、遊泳、浮遊又は沈下等の特徴をもたらす。図１２に示されているように、チャンバ付釣り用ルア２１０はスプールアセンブリ２４８として示されている再巻取り可能なリーダアセンブリを含んでいても良く、当該リーダアセンブリは本体２１２の内部に収容され、再巻取り可能なリーダルアアセンブリ用チャンバ２３６の中に設けられている。スプールアセンブリ２４８は第１の端部２５０及び第２の端部２５２を有する。スプールアセンブリ２４８は２つの支持アーム２５４及び２５６を含む。支持アーム２５４の第１の端部２５８は、支持アーム２５６の第１の端部２６０に接続されている。支持アーム２５４の第２の端部２６２は、支持アーム２５６の第２の端部２６４に接続されている。支持アーム２５４の第１の端部２５８と支持アーム２５６の第１の端部２６０とが相互に接続されている箇所（接続構造）から、アーム２６６が伸びている。アーム２６６の端部にはアイレット２６８が設けられ、当該アイレット２６８は本体２１２の内部から外部環境へ伸びており、釣り糸又はワイヤ２０６を釣り竿等に取り付けることに使用され得る。支持アーム２５４の第２の端部２６２と支持アーム２５６の第２の端部２６４とが相互に接続されている箇所から、アーム２７０が伸びている。アーム２７０は内部空洞部２７２を含み、当該内部空洞部２７２は、リーダライン２３４が開口部２７７及び２７９を通過することができるように構成及び配置されている。支持アーム２５４は上面２７３及び底面２７４を含む。支持アーム２５６は上面２７６及び底面２７８を含む。
【００３８】
支持アーム２５４には、第１の円形部材２８０が係合されている。支持アーム２５６には、第２の円形部材２８２が係合されている。ドラム２８４は、第１の円形部材２８０を第２の円形部材２８２に接続している。第１の円形部材２８０及び第２の円形部材２８２にはピボットアセンブリが取り付けられており、本明細書においてはそれぞれスピンドル２８６及び２８８として示されている。スピンドル２８６及び２８８は支持アーム２５４及び２５６に、ドラム２８４の長手軸を中心とする回転運動をもたらすような態様で取り付けられている（図示せず）。ピボットアセンブリは付属品として示されており、当該ピボットアセンブリは、軸を中心とする回転スピンを生じさせる他の要素を含み得る。例えば、ピボットアセンブリは心棒等の縦材であっても良く、第１及び第２の円形部材の開口部の内側にベアリング又はブッシングを伴って固定されていても良い。あるいは、当該第１及び第２の円形部材は当該心棒に固定されていても良く、当該心棒が支持されるカウンティングポイント（counting point）（接続箇所）に備えられたベアリング又はブッシングを伴って固定されていても良い。当該ピボットアセンブリは、ドラグアセンブリ、クラッチ、ギア又はラチェット及びパウルシステムを使用する手段等の制御された回転を生じさせる付加的な機械的手段を含んでいても良い。
【００３９】
スピンドル２８６の上面２９０及び／又はスピンドル２８８の上面２９２は、展開後にリーダ２３４を格納する能力をもたらすように構成及び配置され得る。例えば、スピンドル２８６の上面２９０は、上記したような窪んだ空洞部を露出させる開口部を含んでいても良い。当該窪んだ空洞部は、図６Ａ及び図６Ｂに示されているように、ツール９４を収容するように構成及び配置されている。
【００４０】
図１３Ａを参照すると、チャンバ付き釣り用ルア２１０の１つの実施例の上面図において、本体２１２の表面を通って伸びるスピンドル２８６の上面２９０が示されている。スピンドル２８６の上面２９０は、スロット２９１を含み、当該スロットはリーダ２３４を集めてドラム２８４に巻き戻すために使用され得る。上面２９０は一般のマイナスドライバ又は米国硬貨の形状に一致するように構成及び配置されたスロットを有するように示されているが、フィリップススクリューヘッドによる十字形状若しくは多角形形状等の他の形状又は他の任意の適切な形状が使用され得る。この構成において、リーダライン２３４は、ドラム２８４にしっかりと巻き付けられ、非展開位置となる。再び図１２を参照すると、リーダライン２３４の第１の端部２３３は、当業者に周知の様々な手段を用いてドラム２８４に固着され、当該手段には、限定するものではないが、ノット、スロット、フック、ファスナ、ステープル又はこれらの適切な組み合わせが含まれる。リーダライン２３４の第２の端部２３５は、開口部２７７を介してアーム２７０の内部空洞部２７２に入り、開口部２７９を介して内部空洞部２７２から出る。リーダライン２３４の当該第２の端部は、圧着リング２９３に終結されている。圧着リング２９３に接続されたアイレット２９５は、フック２２２のアイレット２２４に取り付けられている。非展開位置において、フック２２２のアイレット２２４及びシャンク２２６はリーダルアアセンブリ用チャンバ２３６の内部に保持されていても良い。しかし、好適な実施形態において、フック２２２のアイレット２２４、シャンク２２６、フック２２２の湾曲部２２８及びかえし２３２付の又はかえし２３２無しの尖端２３０は外部環境に露出し、チャンバ２３６内に収容されている部分及び開口部２９４を介して外部環境に露出している部分を含む釣り用ルア２１０のアイレット２９５に接続されている（図１３Ｂ参照）。圧着リング２９３は開口部２９４及び／又はチャンバ２３６の内部に緩く（snuggly）嵌まる（fit）ように構成及び配置されている。リーダライン２３４をドラム２８４に巻き戻すために、上記したように、ユーザは単にツール９４を挿入し得、当該ツールを時計回り又は反時計回りに回転し得る。一旦リーダライン２３４がドラム２８４に巻かれると、まだ取り付けられていない場合、ユーザは釣り竿に接続された釣り用ワイヤ２０６をアイレット２６８に取り付け、チャンバ付き釣り用ルア２１０を水中へ戻す。
【００４１】
図１４−図１５はチャンバ付き釣り用ルア２１０の代替的実施例を示している。図１４を参照すると、スプールアセンブリ２４８は、底面２２０が再巻取り機構を含むように配置されている。この配置において、スピンドル２８８の上面２９２は、上記したようにリーダライン２３４をドラム２８４に巻き戻すことに使用され得るスロット又は窪んだ空洞部を含む（図１２参照）。図１４に示された実施例は、第２のチャンバ２４４又は重量物２４６を含まない。第２のチャンバ２４４又は重量物２４６を排除することで、チャンバ付き釣り用ルア２１０は、水面に留まって又は水面近くにおいてトップウォータスタイルのルアとして動作することが可能となる。さらに、スプールアセンブリ２４８の支持アーム２５４及び支持アーム２５６は概して平行に配置され、互いに直接接続されない。当該アームの端部の各々は、当該デバイスの本体部に接続されている。図１５は、チャンバ付き釣り用ルア２１０を潜水スタイルのルアとして示している。上記した特徴に加え、チャンバ付き釣り用ルア２１０は、１つ以上の潜水リップ２９６を含むように構成及び配置され得る。潜水リップ２９６は、釣り人の希望に応じて様々な水深に潜水する能力又は遊泳動作を提供する能力を当該ルアにもたらすように構成及び配置され得る。スプールアセンブリ２４８は、支持アーム２５４と２５６とを直接接続する部分及び当該アームが概して互いに平行に維持される部分を含む上記したものと同様の態様で構成され得る。
【００４２】
図１６はチャンバ付き釣り用ルア２１０の代替的実施例をトローリングルアの形状で示している。チャンバ付き釣り用ルア２１０は、上述した実施例の全ての特徴又は当該特徴の組み合わせを含む。主本体２１２は丸みを帯びた部分２１２ａ及び概して長方形の部分２１２ｂを含む。長方形の部分２１２ｂにはシリコン製スカート２９８が取り付けられている（図１７参照）。この実施例において、当該主本体部は高い密度を有する金属から形成され得る。当該金属は、通常の使用において当該金属が腐食及び劣化しないように１つ以上の公知の材料で被覆されていても良い。
【００４３】
図１８−図２２Ｂはチャンバ付き釣り用ルア３１０のスプールアセンブリを有しない代替的実施例を示している。図１８を参照すると、チャンバ付き釣り用ルア３１０は、前部３１４、後部３１６、上部３１８及び底部３２０を有する本体３１２を含む。チャンバ付き釣り用ルア３１０には、フック３２２が取り付けられている。フック３２２の釣り針用アイレット３２４及びシャンク３２６は、本体３１２の後部３１６に設けられるか又は面している空洞部３２８に収容されている。湾曲部３３０及びかえし３３４付き尖端３３２は、空洞部３２８の開口部３３６を介して外部環境に露出している。本体３１２の内部は１つ以上のチャンバ３４０及び３４２を含む。チャンバ３４０の一端にはリーダライン３４６を取り付けるためのリーダルアアイレット３４４が設けられている。チャンバ３４０の他端には開口部３４７が設けられている。開口部３４７は内部チャンバ３４０を経てリーダライン３４６を通過させ、当該リーダラインの一部を外部環境に露出させる。リーダラインの反対側の端部はフック３２２のフックアイレット３２４に接続されており、当該フックアイレット３２４は本体３１２の後部３１６に設けられるか又は面している空洞部３２８に収容されている。図１９は、展開位置におけるチャンバ付き釣り用ルア３１０を示しており、当該展開位置においてフック３２２は空洞部３２８からリリースされ、本体３１２から所定の距離だけ離れて位置している。本体３１２の外部表面にはメインライン３５０を取り付けるための外部アイレット３４８が設けられている。メインライン３５０は釣り用リール（図示せず）に接続している。チャンバ３４２には任意に重量物３５２が収容されていても良い。
【００４４】
チャンバ付き釣り用ルア３１０は、水中の環境、魚の種類又は他の釣りの要件に応じて様々な形状及び大きさで構成され得る。例えば図２０Ａ（非展開状態）及び図２０Ｂ（展開状態）はジグの形態をとるチャンバ付き釣り用ルア３１０を示している。本体３１２は概して丸みを帯びたジグヘッド部分３１２ａ及び１つ以上のとげ（突起）３５４の備えた概して矩形の襟（以下カラーと称する）部分３１２ｂを含む。さらに、リーダライン３４６の一部がジグヘッド部分３１２ａ内に成型されている。図２１Ａ−Ｃはチャンバ付き釣り用ルア３１０の代替的実施例を示しており、当該実施例はソフトプラスチック製のシュリンプテイルのアタッチメント３５６を有している。図２２Ａ（非展開状態）及び図２２Ｂ（展開状態）は、チャンバ付き釣り用ルア３１０を示しており、当該ルアのジグヘッドはカラーに結び付けられた又は取り付けられたヘア３５８を含む。
【００４５】
図２３−２９を参照すると、本発明による釣り用ルア３１０の再巻取り可能なリーダアセンブリ４００の代替的実施例が示されている。上記した実施例４８と同様に、当該再巻取り可能なリーダアセンブリ４００は、釣り用ルアの本体内に配置可能であり、当該釣り用ルアにリリース自在なフックを提供する。再巻取り可能なリーダアセンブリ４００は、第１の端部４０２及び第２の端部４０４を有し、支持アーム４０６及び４０８を含む。支持アーム４０６及び４０８は概して平行に設けられている。支持アーム４０６及び４０８には、側壁部材４１０及び４１２が結合若しくは接続されるか又は一体的に成型されている。側壁部材４１０及び４１２は概して平行に設けられかつ支持アームに垂直に接続されて、囲まれたエリア４１４を形成している（図２７参照）。囲まれたエリア４１４は回転部材４１６を収容するような大きさ及び形状である。図２８Ａを参照すると、回転部材４１６は、本明細書においてはスプール状のアセンブリとして示され、第１の円形部材４１８及び第２の円形部材４２０を含む。第１の円形部材４１８と第２の円形部材４２０とは、円筒形のドラム本体４２２によって隔てられている。円筒形のドラム本体４２２はオープンルーメン（open lumen）４２４（図２８Ｂ参照）を含み、オープンルーメン４２４は当該ドラム本体を貫通しており、ピボット（pivoting member）４２６（図２８Ｃ参照）を収容するように構成及び配置されている。ピボット４２６は円筒形の本体４２８を含み、当該円筒形の本体４２８は、円筒形のドラム本体４２２のオープンルーメン４２４に合うような大きさ又は形状で形成されている。上部及び又は底部は、当該円筒形の本体４２８に取り付けられ得るキャップ部材４３０を含んでいても良い。あるいは、当該キャップ部材４３０は円筒形の本体４２８に一体的に形成されていても良い。いずれの場合においても、当該キャップ部材は回転ツールの収容エリア４３２を含む。回転ツールの収容エリア４３２はツール９４のようなツールを収容するように構成又は配置され、円筒形のドラム本体４２２の回転をもたらす。回転ツールの収容エリア４３２は、例えば、ツール９４の形状と共役の形状又はツール９４の形状の補完的かつ幾何学的形状すなわちフィリップススクリューヘッドによる十字形状又は六角若しくは四角のスクリューヘッド形状であっても良く、ツール９４の形状を伴って、当該ツールの挿入部がしっかり固定され得る。円筒形のドラム本体４２２回転は、上記した態様と同様の態様で回転される。スピンドル軸（spindle axle）４２６はユーザにドラムを時計回り／反時計回りに回転する能力をもたらし、これによって取り付けられたリーダライン（図示せず）を巻き出し又は巻き戻しする。回転部材４１８及び４２０はいずれも開口部４３４を含み、当該開口部は、ピボット４２６を収容して保持するような大きさ及び形状で設けられている。さらに、円形部材４１８及び４２０の各々は、１つ以上の窪んだ又はへこんだ（以下、ディンプル（dimpled）と称する）領域４３６を含んでいても良い。当該ディンプル領域は、スプール部材を格納及び／又は搬送のための所望の固定された位置にロックすることに使用され得る。あるいは、当該ディンプルはばね荷���がかけられたピン又はボールと協働し得、スプールからリーダを引き出す制御された抵抗力をもたらし得る。
【００４６】
再巻取り可能なリーダアセンブリ４００を組み立てるため、回転部材４１６は囲まれたエリア４１４内に設けられ、第１の円形部材４１８は支持アーム４０６にアライメントされて接触し、第２の円形部材４２０は支持アーム４０８にアライメントされて接触する。第１及び第２の円形部材の開口部４３４は、支持アーム４０６及び支持アーム４０８の開口部４４０及び４４２の各々にアライメントされている。一旦適切にアライメントされると、ピボット４２６は当該開口部に挿入される）得、円筒形の本体４２２のオープンルーメン４２４内に配置され得る。図２８Ａに示されるように、キャップ部材４３０は第１の円筒形部分４１８の上部に置かれている。円筒形のドラム４２２はリーダラインを取り付ける（図示せず）ための開口部４４４を含み得る（図２４参照）。リーダラインはドラムに巻き付けられ得、側壁部材４１２に設けられたスロット４４６を通って抜け出得る。側壁部材４１０にはアイレットフック４４８が取り付けられている。当該再巻取り可能なリーダアセンブリ４００は、本明細書において示されるか又は検討されて記載されたチャンバ付き釣り用ルアのいずれの実施例にも挿入され得る。例えば、図２９は、チャンバ付き釣り用ルア１０の再巻取り可能なリーダルアアセンブリ用チャンバ３６内に配されて図１に示されたリリース自在なフック２２を有する再巻取り可能なリーダアセンブリ４００を示している。
【００４７】
図３０Ａ及び図３１を参照すると、チャンバ付き釣り用ルア５００の代替的実施例が示されている。図３０Ａにおいて、リリース自在なフック２２を有する本発明のチャンバ付き釣り用ルア５００の１つの実施例の側面図が示されている。図３１はドラグ又はクラッチアセンブリ５３２を追加した同様の実施例を示しており、リーダをルアからリリースする際に追加的な制御ができるように構成及び配置されている。チャンバ付き釣り用ルア５００は前部５０４、後部５０６、上部５０８及び底部５１０を有する本体５０２を含む。本体５０２は釣り用ルアの製造に一般に使用される材料から作られ得るが、プラスチックなどのポリマー材から作られることが好ましい。本体５０２は、模様又は色彩を含んでいても良く、小魚、ネズミ、ザリガニ、昆虫、蛙、若しくは魚が捕食する別の動物及び／又は物体に似た形状を有していても良い。チャンバ付き釣り用ルア５００にはリリース自在なフック２２が取り付けられている。図示されているように、当該フックは、リーダライン３４がほとんど露出していないか又は全く露出していない「非展開位置」に配置されている。これは釣り人が前記ルアを着水させる際の典型的な開始位置である。
【００４８】
展開位置において、リーダ３４は伸長され、フック２２は本体５０２から所定の距離だけ離れて位置する。当該展開位置は、魚が実際にルアに食い付いてルアに接触するフィッシュストライクによって生じる。この状況において、魚は食べたくないものに食い付いたことに気付き得、当該ルアを口から放すがフックは当該魚の口に留まる。当該フックは、アイレット２４、シャンク２６、湾曲部分２８及びかえし３２付き又はかえし３２無しの尖端３０を有する標準的な釣り針であることが好ましい。フック２２は、錆び、腐食又は他の風化作用等の悪影響を及ぼす環境からの保護をもたらすことによって当該フックの耐久年数を延長する保護皮膜で被覆されていてもよい。リーダライン３４は、フック２２をチャンバ付き釣り用ルア５００の本体５０２に結合させる。当該リーダラインは、フロロカーボン製リーダラインやモノフィラメント製リーダラインに限定されず、編み組まれた金属若しくはポリマー材又はこれらの適切な組合せによるリーダラインであっても良い。
【００４９】
本体５０２の内部には、再巻取り可能なリーダアセンブリ用チャンバ３６が設けられている。再巻取り可能なリーダアセンブリ用チャンバ３６は、中間部４２によって接続された第１の端部３８及び第２の端部４０を含み得る。第２のチャンバ４４は、潜水ブレード又はスプーン（図示せず）などの重量物４６を保持するように構成及び配置されている。あるいは、重量物４６は、水中で動く際に当該ルアに異なる動きを生じさせるために本体内の任意の適切な位置に形成されても良い。再巻取り可能なリーダルアアセンブリ用チャンバ３６内には、本明細書においてはスプールアセンブリ４８として示されている再巻取り可能なリーダアセンブリが設けられている。通常、当該スプールアセンブリは所定の長さのリーダライン３４をコイル状又は制御可能でリリース自在な構造で収容するように構成及び配置される。当該スプールアセンブリは、リーダラインが当該ルアの空洞部内のスプールアセンブリに再巻取り又は再配置され、繰り返し展開されることを可能にする。
【００５０】
この実施例において、スプール８１は第１の円形フランジ部材８０、第２の円形フランジ部材８２及びドラム８４を含む。特定の好適な実施形態において、円形部材８０及び８２のうちの１つは十分に大きい直径を有するように形成され、本体の外側に形成された表面を介して少なくとも部分的に拡張し、これによって手で当該円形部材を回転させることができ、ツール、キー又は同様のものを要しない。第１の円形フランジ部材８０及び第２の円形フランジ部材８２にはピボットアセンブリが取り付けられており、本明細書にはそれぞれスピンドル８６及び８８として示されている。スピンドル８６及び８８は、ドラム８４にその長手軸８９を中心とした回転動作をもたらす態様で、スプールアセンブリの部分として結合されるか又は一体的に形成されている。開口部又はくぼみ部は、当該スピンドルと協働するようにチャンバ内部に設けられている。アクセスドア５３０は、必要に応じて又は組み立てのために、スプールアセンブリへのアクセスを可能とするように設けられている。当該アクセスドアは、ファスナ、接着剤、リビングヒンジ等の収納時及び使用時においてアクセスドアを適切な位置に保持する手段によって適切な位置に保持され得る。ピボットアセンブリは付属品として示されており、当該ピボットアセンブリは、軸を中心に回転スピンを可能にする他の要素を含み得る。例えば、ピボットアセンブリは心棒のような縦材であっても良く、第１及び第２の円形部材の開口部内にベアリング又はブッシングを伴って適切な位置に固定されていても良い。あるいは、当該第１及び第２の円形部材は、当該心棒が支持される接続箇所に備えられたベアリング、ブッシング、又はマグネット等を伴って、当該心棒に固定されていても良い。ピボットアセンブリは、回転を生じさせる追加の機械的手段、例えばギア、ラチェット及びパウルシステム等の使用を含んでいても良い。当該スピンドルはドラム部材の遠位端部から外向きに伸びているように示されているが、開口部又はインナーボア（inner bore）がドラム内に設けられても良く、当該スピンドルは、本発明の範囲から逸脱すること無くルアの本体に取り付けられても良い。本体５０２の後部５０６には開口部７２が設けられている。開口部７２はフックが本体５０２の中空の内部に挿入された際に当該内部に緩く嵌まるような大きさ及び形状であり、これにより、当該フックの回転運動を防ぎつつ当該フックの容易な又は制御されたリリースを可能にしている。
【００５１】
図３０Ｂを参照すると、代替的実施例が示されている。この実施例において、アクセスドア５３０は回転可能又は開閉可能であり、チャンバ付き釣り用ルア５００に再挿入する前にリーダライン３４をスプールアセンブリに手で巻き付ける目的で、スプールが取り外されることを可能にする。ヒンジ５０９は回転され得、アクセスドア５３０が開位置と閉位置との間で回転されることを可能にする。スナップロック５１１は、アクセスドアを閉位置に保持するために含まれ得、一方でユーザがスプールの手入れをするためにアクセスドアを回転して開けることを可能にする。この態様において、ユーザはルアを開けてリーダラインを再巻取りすることができ、加えて、必要な場合にルアの中のスプール及び巻かれたリーダを交換することができる。図３０Ｂにおいて、リリース自在なフック２２を有する本発明のチャンバ付き釣り用ルア５００の１つの実施例の側面図が示されている。チャンバ付き釣り用ルア５００は前部５０４、後部５０６、上部５０８及び底部５１０を有する本体５０２を含む。本体５０２は釣り用ルアの製造に一般に使用される材料から作られ得るが、プラスチックなどのポリマー材から作られることが好ましい。本体５０２は、模様又は色彩を含んでいても良く、小魚、ネズミ、ザリガニ、昆虫、蛙、若しくは魚が捕食する別の動物及び／又は物体に似た形状を有していても良い。チャンバ付き釣り用ルア５００にはリリース自在なフック２２が取り付けられている。図示されているように、当該フックは、リーダライン３４がほとんど露出していないか又は全く露出していない「非展開位置」に配置されている。これは釣り人が前記ルアを着水させる際の典型的な開始位置である。
【００５２】
展開位置において、リーダ３４は伸長され、フック２２は本体５０２から所定の距離だけ離れて位置する。当該展開位置は、魚が実際にルアに食い付いてルアに接触するフィッシュストライクによって生じる。当該フックは、アイレット２４、シャンク２６、湾曲部分２８及びかえし３２付き又はかえし３２無しの尖端３０を有する標準的な釣り針であることが好ましい。フック２２は、錆び、腐食又は他の風化作用等の悪影響を及ぼす環境からの保護をもたらすことによって当該フックの耐久年数を延長する保護皮膜で被覆されていてもよい。リーダライン３４は、フック２２をチャンバ付き釣り用ルア５００の本体５０２に結合させる。当該リーダラインは、フロロカーボン製リーダライン又はモノフィラメント製リーダラインに限定されず、編み組まれた金属若しくはポリマー材又はこれらの適切な組合せによるリーダラインであっても良い。
【００５３】
本体５０２の内部には、再巻取り可能なリーダアセンブリ用チャンバ３６が設けられている。再巻取り可能なリーダアセンブリ用チャンバ３６は、中間部４２によって接続された第１の端部３８及び第２の端部４０を含み得る。第２のチャンバ４４は、潜水ブレード又はスプーン（図示せず）などの重量物４６を保持するように構成及び配置されている。あるいは、重量物４６は、水中で動く際に当該ルアに異なる動きを生じさせるために本体内の任意の適切な位置に成形されても良い。再巻取り可能なリーダルアアセンブリ用チャンバ３６内には、本明細書においてはスプールアセンブリ４８として示されている再巻取り可能なリーダアセンブリが設けられている。通常、当該スプールアセンブリは所定の長さのリーダライン３４をコイル状又は制御可能でリリース自在な構造で収容するように構成及び配置される。当該スプールアセンブリは、リーダラインが当該ルアの空洞部の外部のスプールアセンブリに再巻取り又は再配置され、繰り返し展開されることを可能にする。
【００５４】
この実施例において、スプール８１は第１の円形フランジ部材８０、第２の円形フランジ部材８２及びドラム８４を含む。第１の円形フランジ部材８０及び第２の円形フランジ部材８２にはピボットアセンブリが取り付けられており、本明細書にはそれぞれスピンドル８６及び８８として示されている。スピンドル８６及び８８は、ドラム８４にその長手軸８９を中心とした回転動作をもたらす態様で、スプールアセンブリの部分として結合されるか又は一体的に形成されている。開口部又はくぼみ部は、当該スピンドルと協働するようにチャンバ内部に設けられている。アクセスドア５３０は、必要に応じて又は組み立てのために、スプールアセンブリへのアクセスを可能とするように設けられている。当該アクセスドアは、ファスナ、接着剤、リビングヒンジ等の収納時及び使用時においてアクセスドアを適切な位置に保持する手段によって適切な位置に保持され得る。ピボットアセンブリは付属品として示されており、当該ピボットアセンブリは、軸を中心に回転スピンを可能にする他の要素を含み得る。例えば、ピボットアセンブリは心棒のような縦材であっても良く、第１及び第２の円形部材の開口部内にベアリング又はブッシングを伴って適切な位置に固定されていても良い。あるいは、当該第１及び第２の円形部材は、当該心棒が支持される接続箇所に備えられたベアリング、ブッシング、又はマグネット等を伴って、当該心棒に固定されていても良い。ピボットアセンブリは、回転を生じさせる追加の機械的手段、例えばギア、ラチェット、パウルシステム、伸縮ばね等の使用を含んでいても良い。当該スピンドルはドラム部材の遠位端部から外向きに伸びているように示されているが、開口部又はインナーボアがドラム内に設けられても良く、当該スピンドルは、本発明の範囲から逸脱すること無くルアの本体に取り付けられても良い。本体５０２の後部５０６には開口部７２が設けられている。開口部７２はフックが本体５０２の中空の内部に挿入された際に当該内部に緩く嵌まるような大きさ及び形状であり、これにより、当該フックの回転運動を防ぎつつ当該フックの容易な又は制御されたリリースを可能にしている。
【００５５】
図３１を参照すると、ドラグ又はクラッチアセンブリ５３２を含む本発明の実施例が示されている。ドラグ又はクラッチアセンブリ５３２は通常、オペレータが、ルアからのフック及びリーダの張力及び／又はルアからのフック及びリーダのリリーススピードを制御できるように構成及び配置されている。好適な実施形態において、ドラグアセンブリ５３２は少なくとも１つのクラッチディスク５３４と共に設けられ、当該クラッチディスク５３４はスプールアセンブリとプレッシャプレート５３６との間に配置される。蝶ねじ５３８及び任意のばね部材５４０は、スプールアセンブリに圧力及び摩擦力を及ぼして、リーダ及びフックがルアから伸長することを可能とする所要の圧力及び／又はスピードを制御するために使用されても良い。クラッチ及びプレッシャプレートは平らなディスク状の部材として示されているが、本発明の範囲から逸脱することなく他の形状が使用されても良い。また、コイルばねが示されているが、本発明の範囲から逸脱することなく例えばベルビルワッシャ、ポリマーバネ等の他のタイプのばね部材が使用されても良い。
【００５６】
図３２を参照すると、抵抗アセンブリ６００を含む本発明の代替的実施例が示されている。抵抗アセンブリ６００は通常、オペレータが、フック２２及びリーダライン３４がルア１０からリリースに必要な張力及び／又はスピードを制御することができるように構成されて配置されている。好適な実施形態において、抵抗アセンブリ６００は、リング部材６４０と組み合わせて使用され得る片持ち板バネ（cantilevered leaf spring）６１０を含み、それによって所定の抵抗が、リング部材６４０が片持ち板バネ６１０から解放されることを可能とし、リーダライン３４がスプール４８から解放されることを可能とする。当該抵抗アセンブリ６００は、スプール４８とフック２２との間に配置されている。片持ち板バネ６１０は、水平方向に配置されて第１の端部６１２及び第２の端部６１４を含むことが好ましい；第１の端部６１２はスプール４８の近傍でありかつ固定された位置に配置されている。片持ち板バネ６１０の第２の端部６１４は、チャンバ付き釣り用ルア１０の後部１６に配置されている。片持ち板バネ６１０の第２の端部６１４には、隆起６１６が含まれる。片持ち板バネは、本発明の範囲から逸脱することなく、フック、リング又はリーダの任意の部分を囲むように又はフック、リング又はリーダの任意の部分に係合するように構成され得る。１つの実施例において、隆起６１６はリング部材６４０を受け止めるように構成されて配置される。隆起６１６は頂部６１９において終端する傾斜面６１８及び水平チャネル６２０を含む。リング部材６４０はリーダ３４に取り付けられ、それによって、所定の大きさの抵抗がかけられている際に、リング部材６４０は板バネ６１０からリリースし得り、特に、隆起６１６上の傾斜面６１８からリリースされる。
【００５７】
当該リング部材は、抵抗がかけられるまで、隆起６１６の傾斜面６１８を抑えつける。抵抗がかけられると、リング部材６４０は、隆起６１６の頂部６１９に到達してリリースするまで、傾斜面６１８を垂直に滑り上がる。さらに、傾斜面６１８におけるリング部材６４０からの抵抗は、片持ち板バネ６１０の第２の端部６１４を垂直に下方に動かし、これによってリング部材６４０は隆起６１６の頂部６１９に向かって動く。例えば、フック２２に抵抗がある場合に、リング部材６４０は、板バネ６１０上の隆起６１６を押し、特に、傾斜面６１８を押す；これは、リング部材６４０に、隆起６１６上の摩擦力を生じさせ、加えて、片持ち板バネ６１０の第２の端部６１４を垂直に下方に動かし、これによって、リング部材６４０は隆起６１６からリリースする。
【００５８】
隆起６１６上のチャネル６２０は、リーダ３４が支障なく又は方向を変えることなく隆起６１６を通り抜けることを可能にする。当該チャネル６２０は、隆起６１６の側壁の間の水平な開口部である。チャネル６２０は、リーダ３４が当該チャネル６２０を乱れずに通り抜けることができる大きさに形成されている。上述したように、リング部材６４０は隆起６１６の傾斜面６１８を抵抗がかけられるまで抑えつける。リング部材６４０の板バネ６１０からの不当な又は予期しないリリース又は滑りを防ぐために、隆起６１６の頂部６１９の直上にアーム６２２が配置されて一定の大きさの所定の抵抗がかけられないかぎりリング部材６４０を板バネ６１０から解放させないピンチポイント（pinch point）６２４をもたらす。アーム６２２は、隆起６１６の頂部６１９と接触するように設けられている。アーム６２２は、リング部材６４０が予期せず傾斜面６１８を上がって板バネ６１０からリリースされないように、当該アーム６２２と隆起６１６との間にピンチポイント６２４をもたらす。
【００５９】
ユーザが様々な抵抗レベルをつくることが可能となるように、片持ち板バネ６１０は取り外し可能かつ交換可能であることが考慮される。より大きい隆起を有するか又はより頑丈な構造を有する片持ち板バネ６１０の使用は、リング部材６４０に対するより大きい抵抗を生じ、ユーザがリーダ３４をスプール４８からリリースさせるために意図する抵抗の大きさを制御することを可能にする。好適な実施例におけるリング部材６４０は、例えばゴム製Ｏ−リングのようにポリマー材料から構成されている；しかしながら、本発明の範囲から逸脱すること無く、当該リング部材が当該板バネを、リング部材のリリースを許容するために十分な量だけ変形させることが可能である限り、他の形、材質及び構造が使用され得る。好適な実施形態において、当該リングは、フィッシングラインの遠位端部とフック２２との間に配置される。代替的実施形態（図示せず）において、リング部材６４０はリーダ３４及びフック２２から完全に取り外され得る。この実施形態において、当該フィッシングラインはフックに直接接続され、リング部材はフック及びフィッシングライン／リーダの両方に固着され得る。リング部材６４０はリリース自在な囲い６４２を含み得、抵抗がかけられた際に、リーダ３４がリング部材６４０から分離されることを可能にする。リング部材６４０は、当該リング部材６４０が板バネ６１０上の隆起６１６からリリースされ、チャンバ付きルア１０の後部１６に押し付けられた際に、リーダ３４から分離し得る。リング部材６４０がルア１０の後部１６に押し付けられた際に、リーダ３４はリリース自在な囲い６４２を圧迫して、これによってリーダ３４はリング部材６４０からリリースされる。リング部材６４０の囲い６４２が壊れた場合には、ユーザは、リング部材６４０を新しいものに交換しなければならない。他の代替において、リング部材６４０は壊れやすい材料で構成され、隆起６１６において板バネ６１０に取り付けられて抵抗をかけられた場合に、所定の大きさの抵抗下で壊れる。或いは、リング部材６４０は、板バネ６１０上の隆起６１６からリリースされてルア１０の後部１６に押し付けられた場合に、裂けるか又は割れても良い。
【００６０】
図３３を参照すると、ピンチアーム７００を含む本発明の代替的実施例が示されている。ピンチアーム７００は通常、ルア１０からのフック２２及びリーダ３４の張力及び／又はリリーススピードをもたらすように構成されて配置されている。好適な実施形態において、ピンチアーム７００は、スプール４８とルア１０の後部１６との間のリーダアセンブリ用チャンバ３６の第２の端部４０の中に配置されている。好適な実施形態において、リーダ３４は、ピンチアーム７００と、リーダアセンブリ用チャンバ３６の第２の端部４０をライニングする壁７０２との間のチャンバ３６の内部を通る。ピンチアーム７００は、チャンバ３６の壁７０２と摩擦接触して接触点７０４をもたらす。リーダ３４の一部分は、接触点７０４の中に残る。ピンチアーム７００は、リーダ３４への抵抗の存在下で、リーダ３４が通り抜けることが可能となるように屈折するように構成されて配置されている。壁７０２とピンチアーム７００との間の摩擦の関係は、それらの間にリーダ３４が残っている場合に、リーダ３４に抵抗をもたらし、当該抵抗は、ピンチアーム７００を屈折させてリーダ３４が通り抜けることを可能とする。当該リーダは、ライン上にクリンプ（crimp）を有して、接触においてより大きい表面積をもたらすように示されているが、接触点との摩擦接触をもたらすために必ずしもリーダ上にクリンプを有していなくても良い。好適な実施形態として板バネが示されているが、本発明の範囲から逸脱すること無く、所定の大きさの牽引力に達した際にリリースするための他のタイプの構造が使用され得る。そのような構造は、ばねピン（spring pin）、コイルばね、ベルビルワッシャ、ポリマーばね、又はこれらの適切な組合せ等を含み得る。
【００６１】
図３３を参照すると、スプールアセンブリ４８は単一ワイヤアセンブリ６５０を含み得る。従って、ワイヤアセンブリ６５０はスプールアセンブリ４８に接続されてチャンバ付きルア１０の組み立てをユーザにとって容易にする。この実施例には示されていないが、チャンバ付きルア１０は右半分及び左半分からなり、当該右半分及び左半分の各々は、他方の鏡像であっても良い。当該右半分及び左半分は、チャンバ付きルアを垂直な面に沿って切断することによって構成される。当該二つの半分は、一体となってチャンバ付きルア１０を形成する。ワイヤアセンブリ６５０は、フロントリーダ６６０及びバックリーダ６７０からなる。フロントリーダ６６０は、終端ライン６６４を伴って、チャンバ付きルア１０の本体１２の外側に露出しているアイレット６６２を含む。バックリーダ６７０は、スプールアセンブリ４８のスプール内部に位置する垂直ロッド６７２と、一対のライン６７４と、を含む。当該一対のライン６７４の一方の端部はフロントリーダ６６０の終端ライン６６４に接続され、ライン６７４の各々の他方の端部は、垂直ロッド６７２の向かい側の端部に接続されている。ワイヤアセンブリ６５０は、スプールアセンブリ４８と組み合わさって、ユーザが容易に、各々のアセンブリをチャンバ付きルア１０の半分の本体１２の内部に配置し、その後チャンバ付きルア１０の他方の半分を上から配置することを可能にする。少なくとも１つの代替的実施例において、ルア本体は、単一のワイヤアセンブリ６５０の周囲の射出成型のプロセスによって形成される。
【００６２】
本明細書に記載されている全ての特許及び刊行物は、本発明の属する技術分野における当業者の水準（level）を示している。全ての特許及び刊行物は参照されることで、
各々の個別の刊行物が具体的かつ個別的に示されていることと同様に本明細書に包含されている。
【００６３】
本発明の一定の形態が示されているが、本発明は、本明細書に記載及び図示されている特定の形態又は構成に限定されるべきではない。本発明の範囲から逸脱すること無く様々な変更がなされ得ることは、当業者にとって明白であろう。本発明は、本明細書及び本明細書に含まれる図面に図示及び記載されているものに限定されると考えられるべきではない。
【００６４】
当業者は、本発明が目的を達成し、上記したような結果及び効果並びに内在する結果及び効果を得ることができることを容易に理解するであろう。本明細書に記載された実施例、方法、手順及び技術は、出願時点での好適な実施形態であり、例示的なものであり、本発明の範囲を限定するものではない。当業者が想到し得るであろう変形及び他の用途は、本発明の精神に包含され、特許請求の範囲によって画定される。本発明は、特定の好適な実施形態に関連して記載されているが、特許請求の範囲に記載されている本発明はこのような特定の実施例に不当に限定されるべきではない。本発明を実施するための開示された態様の様々な変形であって、当業者にとって明白なものは、特許請求の範囲内のものである。
【図１】
2018504108.tif 000003
【図２】
2018504108.tif 000004
【図３】
2018504108.tif 000005
【図４】
2018504108.tif 000006
【図５】
2018504108.tif 000007
【図６Ａ】
2018504108.tif 000008
【図６Ｂ】
2018504108.tif 000009
【図７】
2018504108.tif 000010
【図８】
2018504108.tif 000011
【図９】
2018504108.tif 000012
【図１０】
2018504108.tif 000013
【図１１】
2018504108.tif 000014
【図１２】
2018504108.tif 000015
【図１３Ａ】
2018504108.tif 000016
【図１３Ｂ】
2018504108.tif 000017
【図１４】
2018504108.tif 000018
【図１５】
2018504108.tif 000019
【図１６】
2018504108.tif 000020
【図１７】
2018504108.tif 000021
【図１８】
2018504108.tif 000022
【図１９】
2018504108.tif 000023
【図２０Ａ】
2018504108.tif 000024
【図２０Ｂ】
2018504108.tif 000025
【図２１Ａ】
2018504108.tif 000026
【図２１Ｂ】
2018504108.tif 000027
【図２１Ｃ】
2018504108.tif 000028
【図２２Ａ】
2018504108.tif 000029
【図２２Ｂ】
2018504108.tif 000030
【図２３】
2018504108.tif 000031
【図２４】
2018504108.tif 000032
【図２５】
2018504108.tif 000033
【図２６】
2018504108.tif 000034
【図２７】
2018504108.tif 000035
【図２８Ａ】
2018504108.tif 000036
【図２８Ｂ】
2018504108.tif 000037
【図２８Ｃ】
2018504108.tif 000038
【図２９】
2018504108.tif 000039
【図３０Ａ】
2018504108.tif 000040
【図３０Ｂ】
2018504108.tif 000041
【図３１】
2018504108.tif 000042
【図３２】
2018504108.tif 000043
【図３３】
2018504108.tif 000044
【国際調査報告】
2018504108.tif 000045
2018504108.tif 000046
2018504108.tif 000047